(57)【要約】【課題】  水平方向に開口する従来のポケットに対して、垂直方向に開口し、ポケット前面部上部が蓋部の代わりをして財布を外から見えにくくし、かつ手を入れにくく盗まれにくくし、また財布が底の安全な場所に入れられ、使用者は他の挿入物があっても財布の在りかは常に分かっていて、手探りで楽に取り出せるポケットを、提供する。【解決手段】  任意の大きさの背部側生地に対し、前面部側とするポケット部用の生地の少なくとも上辺とする側を接合したことを特徴とする。【選択図】図１
2014204978.tif 000002
【特許請求の範囲】
【請求項１】
任意の大きさの背部側生地に対し、前面部側とするポケット部用の生地の少なくとも上辺とする側を接合したことを特徴とする、貴重品用ポケットとそれを備えるバッグ類。
【請求項２】
背部側生地に対し、前面部側とするポケット部用の長方形状の生地の上辺側の中央で、二枚を合わせるか切り分けて、下方に向け差し込み口を設けたことを特徴とする、請求項１記載の貴重品用ポケットとそれを備えるバッグ類。
【請求項３】
バッグ類の主側面部に対し、前面部側とするポケット部用の長方形状の生地の少なくとも上辺側を接合し、この生地の中央で二枚を合わせるか切り分けて、下方に向け差し込み口を設けたことを特徴とする、請求項１、２記載の貴重品用ポケットとそれを備えるバッグ類。
【請求項４】
バッグ類の主側面部の内側に対し、ポケット部用の前面部側とする長方形状の生地の左右辺部の上部を接合し、下部を解放したことを特徴とする、貴重品用ポケットとそれを備えるバッグ類。
【請求項５】
両主側面部と両主側面部に設けたポケット部用の長方形状の生地とで生じる空間が、バッグの底面部上で繋がっていることを特徴とする、請求項１、２、３、４記載の貴重品用ポケットとそれを備えるバッグ類。
【発明の詳細な説明】
【技術分野】
【０００１】  本発明は、買物袋、買物籠、エコバッグ等の主として蓋部のないバッグ類に内蔵する、財布等の貴重品の収納箇所に関する。
【背景技術】
【０００２】  水平方向に開口したポケットがある。バッグ縦幅より短い縦幅のポケットがある。
【先行技術文献】
【０００３】
【特許文献】
【特許文献】特開２００６−１１１９８１／ポケット開口部構造／ポケット開口部＋バッグでの検索
【発明の概要】
【発明が解決しようとする課題】
【０００４】  そのために次のような問題点があった。
開口状態のバッグ類内に、何かに遮られることもなくポケットの挿入口が上向きにあり、そこには外部からの手が簡単に届くので、そのポケットは財布を安心して入れられなかった。またポケットがない場合、買物前は財布がバッグの底にあって見つけやすいが、買物後、財布の入れ場所がなくなり、手に持つか品物の間に差し込んでいた。剥きだしで手に持てば防犯上危険であり、品物の間に挟み込めば、必要な時捜しにくくなった。ファスナーや蓋をつけると開け閉めが面倒だった。
買物時、投函予定の手紙や支払用書類を別個所に入れておきたい場合もあるが、縦幅、横幅共に短いポケットでは用をなさないことがあり、そのポケットには入れられないため、封書の形状が保持出来ないことが多かった。
【発明を解決するための手段】
【０００５】  任意の大きさの背部側生地に対し、前面部側とするポケット部用の生地の少なくとも上辺とする側を接合したことを特徴とする。
【発明の効果】
【０００６】  ポケット部用生地の上部が蓋部の代わりをするので、財布が外から見えにくくなり手が入れにくく盗まれにくくなった。ポケットが十分な縦、横幅を有して仕切りを兼ねるので、財布が楽にかつ安全な場所に入れられるようになった。使用者は他の挿入物があっても財布の在りかは分かっており、手探りで簡単に取り出せるようになった。携帯がなっていると、直ぐに捜し出せるようになった。十分な幅を有し、投函予定の手紙が、皺になったりしないで入れられるようになった。反対に向けても落ちにくくなった。
【図面の簡単な説明】
【０００７】
【図１】  本願の正面図である。
【図２】  第一形態のｃ、ｄは正面図、ｅは断面図である。
【図３】  第一形態の平面図、断面図、断面図である。
【図４】  第二形態の断面図である。
【図５】  第二形態の断面図である。
【図６】  第二形態の断面図である。
【図７】  別型の断面図と平面図である。
【図８】  別型の断面図である。
【図９】  扁平なバッグの場合の断面図である。
【図１０】  延長生地の活用例である。
【発明を実施するための形態】
【０００８】  財布や携帯を貴重品と称して説明する。
図１〜図２を用いて、前置き的説明をする。
図１ａは左辺、上辺、右辺、下辺から成るポケット部用の長方形の生地（１）を示す。ｂは、生地の上辺部（３）を、任意の大きさの後面部（６）に接合して固定した正面図である。下辺部（５）も接合するが、左辺部（２）、右辺部（４）の接合は選択する。
図２ｃは、生地に差し込み口を縦向きに設ける場合である。生地の中央位置（７）に、生地を二枚合わせるか一枚を切り分けるかして、縦状の切り込み状箇所（８）を設け、ここを差し込み口（９）とした正面図である。後面部に対し、上辺部と下辺部を接合し固定している。ｄ、ｅは使用図で、ｄは貴重品（１０）を差し込み口より差し込んだ正面図で、貴重品の設置に直接関わらない上側が、カバー部（１１）である。ｅはｄの中央位置での、左側面断面図である。
【０００９】  図３を用いて第一形態を説明する。
図１、図２の後面部をバッグ類の主側面部（１２）に替えた場合であるが、ここではバッグ挿入口を矩形とし、主側面部と従側面部（１３）を有する場合とする。ｆは拡大平面図で、生地（１）が主側面部の内側に添い、生地の左辺部（２）と右辺部（４）は、従側面部と主側面部で成る角部（１４）にそれぞれ接近する。接合する場合はこの角部に接合する。接合後、左右に余り幅がある場合、それを従側面部の中央等に接合する場合も考えられる。取って部（１５）がここでは外側にある。以下、取って部は描画しない場合もある。ｇ、ｈは使用図で貴重品（１０）が挿入されている。ｇはｆのＸ−Ｘ断面図で、生地の上辺部（３）位置は主側面部の上端（１６）位置にある。ｈはＹ−Ｙ断面図の片側である。
【００１０】  図４を用いて、第二形態を説明する。ｉは図３ｇに準じるＸ−Ｘ断面図で、生地（１）の上辺部（３）側の中間を、左右対称形にＶ状かＵ状の切り込み状に切除し、この切除線（１７）内を差し込み口（９）とする。ｊは図３ｆのＹ−Ｙ断面図に準じる。ｋはｉと類似の断面図で、上辺部側の片側を端まで切除し、この切除線内を差し込み口とする。
生地の最下部を主側面部（１２）との間に折り返したり、袋状にしたりすることが出来る。あるいは底面部での相対する角まで生地の下辺部が届く場合もある。
【００１１】  図５、図６を用いて、第一、第二形態共通の変形を説明する。
図５は、前記説明の場合と同様に、相対するもう一方の主側面部（１２）の内側にも生地（１）を設けた状態である。ｌはその場合の図４ｊに準じる断面図、ｍは底面部（１８）上で繋がっている底面生地（１９）を有する場合のｌと類似の断面図である。図６ｎは図５ｍの場合の図４ｉに準じる断面図、ｏはその場合の使用状態説明断面図である。生地の底は底面部上に密着するか、貴重品（１０）の厚みを考えて少し底を浅くしておくかは、生地の強度にも関わり、選択の範囲である。
使い方としては、ｏのように、底面部上で空間（２０）が繋がっているので、貴重品は差し込み口（９）から入れて、直ぐに、又は次第に滑り落ちて底面部上で落ち着く。
【００１２】  図７、図８を用いて、別型を説明する。
図７ｐは、図３ｆのＸ−Ｘの断面図に準じ、主側面部（１２）の内側に、生地（１）の上辺部（３）を主側面部の上端（１６）位置より少し下げた位置に置き、生地の上辺部中間を差し込み口（９）として、使い易い幅を残し上辺部左右を主側面部に接合する。ｑは図３ｆに準じる拡大平面図である。上辺部を下げるのは使い勝手を良くするためであって、下げないで設けても構わない。
図８ｒは、バッグが小さくて、上辺部の左右の接合をしない方が良い場合で、端から端までを差し込み口とし、左、右辺部（２）、（４）の上部側を従側面部（１３）とで成る角部（１４）位置に接合する。下部側は解放状態とする。その境界位置は縦幅の半分ぐらいとするが、生地の厚み、性質等で選択する。
ｓは使用図で、使い方は前記同様である。
【００１３】  図９を用いて、従側面部を特に設けない扁平なバッグの場合を説明する。
図９ｔ、ｕ、ｖは、図４ｉ、ｊに準じる断面図である。生地（１）をｕは片面にｖは両面に設け、底面部上で空間（２０）が繋がっている。従側面部ないしは底面部（１８）の幅がないため、貴重品は下部に立体状で収まり、小さな物は底に横たわって集まる。ファスナーなどで挿入口を閉じる場合は、横たえることが出来るので、貴重品の方を挿入口側に入れる使い方が出来る。
使い方は、前記同様である。
半円形等の他の形状のバッグであっても、また取って部の有無、蓋やファスナーの有無についても特に変わりのない作り方となる。
【００１４】  図１０で、一主側面部（１２）に前記各種の形態で生地（１）を設け、残りの３側面部に通常ポケットを設けたり、延長生地（２１）を活用する例を説明する。底面部（１８）との接合は選択出来る。貴重品以外の挿入物の仕切りや、ポケットとして活用する。
ｗは一主側面部と相対する側に通常のポケット等を設けた場合の平面図である。ｘは従側面部（１３）に延長生地（２１）でポケットなり仕切りなりを設け、バッグの側面部内側を生地が一周する場合である。ｙはｘと同様に一周するが、相対する主側面部の中央で延長生地を接合する場合である。
【符号の説明】
【００１５】  １    生地                  ２    左辺部              ３    上辺部
４    右辺部                ５    下辺部              ６    後面部
７    中央位置              ８    切り込み状箇所      ９    差し込み口
１０  貴重品                １１  カバー部            １２  主側面部
１３  従側面部              １４  角部                １５  取って部
１６  上端                  １７  切除線              １８  底面部
１９  底面生地              ２０  空間                ２１  延長生地
【図１】
2014204978.tif 000003
【図２】
2014204978.tif 000004
【図３】
2014204978.tif 000005
【図４】
2014204978.tif 000006
【図５】
2014204978.tif 000007
【図６】
2014204978.tif 000008
【図７】
2014204978.tif 000009
【図８】
2014204978.tif 000010
【図９】
2014204978.tif 000011
【図１０】
2014204978.tif 000012